(57)【特許請求の範囲】
【請求項１】
レンガ、コンクリートブロックなどの壁構造材を組み上げて形成した既設組積造壁の表裏に配設する一対の横置長尺部材により組積造壁の一部の壁構造材を両面から押圧支持した後、横置長尺部材により押圧支持された壁構造材の下方に位置する壁構造材を除去して既設組積造壁に開口部を形成することを特徴とする既設組積造壁における開口部の新設方法。
【請求項２】
横置長尺部材の壁構造材に対する押圧力が、既設組積造壁を貫通して配設されて一対の横置長尺部材と係合する押圧力付与部材により付与されることを特徴とする請求項１記載の既設組積造壁における開口部の新設方法。
【請求項３】
壁構造材が除去されて形成される既設組積造壁の開口端面部に鉄筋コンクリートが打設されることを特徴とする請求項１または２記載の既設組積造壁における開口部の新設方法。
【請求項４】
鉄筋コンクリートの打設後、一対の横置長尺部材が撤去されることを特徴とする請求項３記載の既設組積造壁における開口部の新設方法。
【発明の詳細な説明】
【０００１】
【発明の属する技術分野】
この発明は、レンガ、コンクリートブロック、石などの壁構造材を組み上げて形成されている崩れ易い組積造りの既設壁に、窓や出入口となる開口部を新たに形成する方法に関するものである。
【０００２】
【従来の技術】
従来は、例えば図２（Ａ）に示したように、既設組積造壁が既設レンガ壁１であるときには、その既設レンガ壁１が崩れ落ちることがないように縦長の作業用小開口２１を適宜の間隔（例えば１ｍ程度）に形成し、その作業用小開口２１の上方のレンガ１ａをＨ型鋼２２と支保工２３とで支持して作業用小開口２１の側方にあるレンガ１ａを取り除き、図２（Ｂ）に示したような作業用大開口９を形成する。そして、さらに図２（Ｃ）に示したようにその作業用大開口９の周囲に鉄筋１０Ａおよび図示しない型枠を配してコンクリート１０を打設し、窓、出入口などとする上部にまぐさ１１を備えた開口１２を形成している。
【０００３】
【発明が解決しようとする課題】
しかし、上記従来の施工方法においては、▲１▼既設の組積造壁を２度に分けて取り除かねばならない、▲２▼既設組積造壁に設けた作業用大開口にはＨ型鋼と支保工とがあるため、まぐさを形成する際に邪魔で作業がし難いだけでなく、収まりも悪い、などと云った問題点があったので、これら問題点を解決する必要があった。
【０００４】
【課題を解決するための手段】
この発明は上記従来技術の問題点を解決するためになされたもので、第１の発明は、レンガ、コンクリートブロックなどの壁構造材を組み上げて形成した既設組積造壁の表裏に配設する一対の横置長尺部材により組積造壁の一部の壁構造材を両面から押圧支持した後、横置長尺部材により押圧支持された壁構造材の下方に位置する壁構造材を除去して既設組積造壁に開口部を形成することを特徴とする既設組積造壁における開口部の新設方法である。
【０００５】
第２の発明は、前記第１の発明において、横置長尺部材の壁構造材に対する押圧力を、既設組積造壁を貫通して配設されて一対の横置長尺部材と係合する押圧力付与部材により付与するようにしたことを特徴とする既設組積造壁における開口部の新設方法である。
【０００６】
第３の発明は、前記第１または第２の発明において、壁構造材が除去されて形成される既設組積造壁の開口端面部に鉄筋コンクリートを打設するようにしたことを特徴とする既設組積造壁における開口部の新設方法である。
【０００７】
第４の発明は、前記第３の発明において、鉄筋コンクリートの打設後、一対の横置長尺部材を撤去するようにしたことを特徴とする既設組積造壁における開口部の新設方法である。
【０００８】
【発明の実施の形態】
以下、この発明の一実施形態を図１に基づいて詳細に説明する。なお、理解を容易にするため、この図１においても前記図２において説明した部分と同様の機能を有する部分には、同一の符号を付した。また、既設組積造壁は、既設レンガ壁１であるとして説明する。
【０００９】
先ず、図１（Ａ）に示したように、後に切断除去することになる既設レンガ壁１の切断部位を示す切断線２によって囲われた開口予定部３の上方に、複数個の貫通穴４を適宜の間隔で水平方向に列設する。
【００１０】
そして、貫通穴４と同一ピッチに貫通長穴５が長手方向に列設された実質的に剛体からなる２本のＣ型チャンネル材６を、穴同士が一致するように既設レンガ壁１の表裏に横置き配置し、押圧力付与部材として機能させるＰＣ鋼棒７を一方のＣ型チャンネル材６の貫通長穴５、既設レンガ壁１の貫通穴４、他方のＣ型チャンネル材６の貫通長穴５の順に刺し通し、表裏に配置した一対のＣ型チャンネル材６同士の間隔が狭まるように、図示しない油圧ジャッキを用いてＰＣ鋼棒７を所定の応力に緊張した後ナット８で緊締固定し、表裏両側に配置した一対のＣ型チャンネル材６により既設レンガ壁１の一部、すなわち開口予定部３上方のレンガ１ａを押圧支持する。
【００１１】
表裏一対のＣ型チャンネル材６によって既設レンガ壁１の一部のレンガ１ａを所定の力で押圧支持した後、図１（Ｂ）に示したように、切断線２に沿って既設レンガ壁１をカッター切断などにより開口予定部３にある全てのレンガ１ａを除去し、作業用大開口９を形成する。
【００１２】
さらに、図１（Ｃ）に示したように、カッター切断などによりレンガ１ａが除去されて出現した既設レンガ壁１の端面部に鉄筋１０Ａおよび図示しない型枠を配した後にコンクリート１０を打設し、上部にまぐさ１１が設けられた開口１２を既設レンガ壁１に形成する。
【００１３】
そして、打設したコンクリート１０が硬化し、所定の強度が発現するのを待って表裏一対のＣ型チャンネル材６を撤去し、貫通穴４を埋めて既設レンガ壁１に対する開口１２の新設施工を終了する。
【００１４】
なお、本発明は上記実施形態に限定されるものではないので、特許請求の範囲に記載の趣旨から逸脱しない範囲で各種の変形実施が可能である。
【００１５】
例えば、両端部に位置する穴５、４、５の代替としてケミカルアンカーを施工し、中央部側に位置する穴５、４、５には押圧力付与部材として機能するＰＣ鋼棒７を刺し通してナット８により緊締固定し、開口予定部３の中央部側のレンガ１ａを重点的に押圧支持して開口予定部３上方のレンガ１ａが崩れ落ちないように構成することもできる。
【００１６】
このようなＣ型チャンネル材６の取り付け方法を採用すると、全て部位の穴に押圧力付与部材として機能させるＰＣ鋼棒７を刺し通してナット８により緊締固定する方法に比べると、両端部のケミカルアンカーによりＣ型チャンネル材６の取り付け／取り外しが速やかに行えるようになる。また、貫通穴の数が減少するので、工期が短縮できる。
【００１７】
また、Ｃ型チャンネル材６は、通常は開口予定部３のスパンより多少長いものを使用して、開口予定部３上方のレンガ１ａを確実に押圧支持できるようにするのが好ましい。
【００１８】
また、Ｃ型チャンネル材６とレンガ１ａとの間に、フェルト、不織布、硬質ゴムなどのような可撓性と多少の圧縮性を備えたシートを介在させて、表裏一対のＣ型チャンネル材６とレンガ１ａとの密着性を改善し、これによりＣ型チャンネル材６によるレンガ１ａに対する押圧支持性を高めるようにしても良い。
【００１９】
また、この開口部の新設方法は、レンガを積み上げたレンガ壁だけでなく、コンクリートブロックや石などを積み上げて形成した壁にももちろん適用できる。
【００２０】
さらに、仮設補強だけでなく、本設補強に利用することなども可能である。
【００２１】
【発明の効果】
以上説明したように、本発明は既設組積造壁の表裏に配置した一対の押圧部材によって一部の壁構造材を押圧支持した後、その下方の壁構造材を除去して開口を形成する方法であるので、壁構造材の除去が一度に行えるので作業効率が良い。
【００２２】
しかも、広いスパンで壁構造材を除去しても既設の組積造壁は崩れることはないし、開口の上部にまぐさを形成するための鉄筋および型枠を組むときにも邪魔になるものがないので作業は一層速やかに行える。
【図面の簡単な説明】
【図１】  本発明の一実施形態を示す説明図である。
【図２】  従来技術を示す説明図である。
【符号の説明】
１  既設レンガ壁
１ａ  レンガ
２  切断線
３  開口予定部
４  貫通穴
５  貫通長穴
６  Ｃ型チャンネル材
７  ＰＣ鋼棒
８  ナット
９  作業用大開口
１０  コンクリート
１０Ａ  鉄筋
１１  まぐさ
１２  開口
２１  作業用小開口
２２  Ｈ型鋼
２３  支保工
【図１】
0003707006.tif 000002
【図２】
0003707006.tif 000003